(57)【要約】【目的】  歌唱用の楽曲を背景音楽として演奏していることが容易に認識できるようにする。【構成】  音楽処理部１０５によって演奏情報に基づいて楽曲を演奏し、映像処理部１０６によって演奏情報に対応する歌詞情報に基づいて楽曲の演奏に同期させて歌詞を表示する際、リモコン装置２１又は操作表示部１０４によってＢＧＭモードに切り換えられたときは、楽曲再生コントロール部１１０によって楽曲の演奏中は歌詞の表示を禁止する。【選択図】        図１
2005189878.tif 000002
【特許請求の範囲】
【請求項１】
演奏情報に基づいて楽曲を演奏する演奏手段と、前記演奏情報に対応する歌詞情報に基づいて前記楽曲の演奏に同期させて歌詞を表示する歌詞表示手段とを備えた音楽演奏装置において、
背景音楽モードに切り換える背景音楽切換手段と、該手段によって背景音楽モードに切り換えられたとき、前記演奏手段による楽曲の演奏中は前記歌詞表示手段に前記歌詞の表示を禁止させる歌詞表示禁止手段とを設けたことを特徴とする音楽演奏装置。
【請求項２】
演奏情報に基づいて楽曲を演奏する演奏手段と、前記演奏情報に対応する歌詞情報に基づいて前記楽曲の演奏に同期させて歌詞を表示する歌詞表示手段とを備えた音楽演奏装置において、
背景音楽モードに切り換える背景音楽切換手段と、該手段によって背景音楽モードに切り換えられたとき、前記演奏手段による楽曲の演奏中は前記歌詞表示手段に前記歌詞の表示を禁止させ、前記演奏情報に対応する楽曲の題名，歌手名，又は作詞作曲者名等の楽曲情報を表示させる手段とを設けたことを特徴とする音楽演奏装置。
【請求項３】
演奏情報に基づいて楽曲を演奏する演奏手段と、前記演奏情報に対応する歌詞情報に基づいて前記楽曲の演奏に同期させて歌詞を表示する歌詞表示手段とを備えた音楽演奏装置において、
背景音楽モードに切り換える背景音楽切換手段と、該手段によって背景音楽モードに切り換えられたとき、前記演奏手段による楽曲の演奏中は前記歌詞表示手段に前記歌詞を小文字で表示をさせる手段とを設けたことを特徴とする音楽演奏装置。
【請求項４】
演奏情報に基づいて歌唱用の音色のメロディラインで楽曲を演奏する演奏手段を備えた音楽演奏装置において、
前記演奏情報に対応する背景音楽用の楽曲のメロディラインの音色情報を記憶する背景音楽用音色情報記憶手段と、
背景音楽モードに切り換える背景音楽切換手段と、該手段によって背景音楽モードに切り換えられたとき、前記演奏手段に前記背景音楽用音色情報記憶手段に記憶された音色情報に基づいて前記楽曲のメロディラインを背景音楽用の音色で演奏させる手段とを設けたことを特徴とする音楽演奏装置。
【請求項５】
演奏情報に基づいて歌唱用の音量で楽曲を演奏する演奏手段を備えた音楽演奏装置において、
前記演奏情報に対応する背景音楽用の音量情報を記憶する背景音楽用音量情報記憶手段と、
背景音楽モードに切り換える背景音楽切換手段と、該手段によって背景音楽モードに切り換えられたとき、前記演奏手段に前記背景音楽用音量情報記憶手段に記憶された音量情報に基づいて前記楽曲を背景音楽用の音量で演奏させる手段とを設けたことを特徴とする音楽演奏装置。
【請求項６】
演奏情報に基づいて歌唱用の調で楽曲を演奏する演奏手段を備えた音楽演奏装置において、
前記演奏情報に対応する背景音楽用の調情報を記憶する背景音楽用調情報記憶手段と、
背景音楽モードに切り換える背景音楽切換手段と、該手段によって背景音楽モードに切り換えられたとき、前記演奏手段に前記背景音楽用調情報記憶手段に記憶された調情報に基づいて前記楽曲を背景音楽用の調で演奏させる手段とを設けたことを特徴とする音楽演奏装置。
【請求項７】
演奏情報に基づいて歌唱用の音色で楽曲を演奏する演奏手段を備えた音楽演奏装置において、
前記演奏情報に対応する背景音楽用の複数種類の音色情報を記憶する背景音楽用音色情報記憶手段と、
背景音楽モードに切り換える背景音楽切換手段と、該手段によって背景音楽モードに切り換えられたとき、前記背景音楽用音色情報記憶手段から音色情報の種類を選択する音色種類選択手段と、前記演奏手段に前記楽曲を前記音色種類選択手段によって選択された種類の音色情報に基づく音色で演奏させる手段とを設けたことを特徴とする音楽演奏装置。
【請求項８】
演奏情報に基づいて楽曲を演奏する演奏手段を備えた音楽演奏装置において、
複数種類の演奏情報を歌手別，ジャンル別等の区分毎に記憶する演奏情報記憶手段と、背景音楽モードに切り換える背景音楽切換手段と、該手段によって背景音楽モードに切り換えられたとき、前記演奏情報記憶手段に記憶されている演奏情報の区分を選択する選択手段と、前記演奏手段に前記選択手段によって選択された区分に該当する複数の演奏情報に基づく楽曲を連続して演奏させる手段とを設けたことを特徴とする音楽演奏装置。
【発明の詳細な説明】
【技術分野】
【０００１】
この発明は、歌唱用の伴奏音楽を演奏するマイクロコンピュータやカラオケ装置等の音楽演奏装置に関する。
【背景技術】
【０００２】
従来、カラオケ装置等の音楽演奏装置は、歌唱用の楽曲（カラオケ曲）の再生演奏のみを行なう専用装置であったが、昨今では装置自体の小型化が進み、通信回線を用いた楽曲の配信方式が採用されて扱える曲数も多くなり、スナック等の小型店舗や家庭でも使用されるようになった。
【０００３】
また、パーソナルコンピュータ（ＰＣ）の高機能化と高性能化が進み、カラオケ音楽再生用のソフトウェアが開発され、家庭にあるＰＣにソフトウェアをインストールするだけでカラオケを簡単に楽しめるようになった。
【０００４】
このように、小型店舗や家庭で利用されるようになると、カラオケとして使用するだけでなく、豊富な楽曲を背景音楽（バックグラウンドミュージック：ＢＧＭ）として使用する機会も多くなってきている。例えば、次の歌唱者に対する曲の再生までの間にボリュームを落したＢＧＭを演奏して出力する音楽演奏装置（例えば、特許文献１参照）があった。
【特許文献１】特開平１−１５０２６４号公報
【発明の開示】
【発明が解決しようとする課題】
【０００５】
しかしながら、従来の音楽演奏装置では、カラオケ曲をＢＧＭとして演奏するときでも、ディスプレイに歌詞を色替え表示してしまうので、ＢＧＭであることが識別し難いという問題があった。
この発明は上記の点に鑑みてなされたものであり、歌唱用の楽曲を背景音楽として演奏していることが容易に認識できるようにすることを第１の目的とする。
【０００６】
また、カラオケ曲は、歌唱者が歌い易いようにするため、オリジナルの楽曲とは音量，メロディラインの音色，キー（調）等を異ならせて演奏されるので、ＢＧＭとして演奏したときにメロディラインがはっきりしなかったりして違和感があるという問題があった。
そこで、歌唱用の楽曲を背景音楽として違和感無く聞こえるようにすることを第２の目的とする。
【０００７】
さらに、カラオケ曲をそのままＢＧＭとして演奏するだけでは、利用者の多様なニーズに対応できないという問題があった。
そこで、歌唱用の楽曲を背景音楽として演奏するときの機能を向上させることを第３の目的とする。
【課題を解決するための手段】
【０００８】
この発明は上記の第１の目的を達成するため、演奏情報に基づいて楽曲を演奏する演奏手段と、上記演奏情報に対応する歌詞情報に基づいて上記楽曲の演奏に同期させて歌詞を表示する歌詞表示手段を備えた音楽演奏装置において、背景音楽モードに切り換える背景音楽切換手段と、その手段によって背景音楽モードに切り換えられたとき、上記演奏手段による楽曲の演奏中は上記歌詞表示手段に上記歌詞の表示を禁止させる歌詞表示禁止手段を設けたものである。
【０００９】
また、演奏情報に基づいて楽曲を演奏する演奏手段と、上記演奏情報に対応する歌詞情報に基づいて上記楽曲の演奏に同期させて歌詞を表示する歌詞表示手段を備えた音楽演奏装置において、背景音楽モードに切り換える背景音楽切換手段と、その手段によって背景音楽モードに切り換えられたとき、上記演奏手段による楽曲の演奏中は上記歌詞表示手段に上記歌詞の表示を禁止させ、上記演奏情報に対応する楽曲の題名，歌手名，又は作詞作曲者名等の楽曲情報を表示させる手段を設けるとよい。
【００１０】
さらに、演奏情報に基づいて楽曲を演奏する演奏手段と、上記演奏情報に対応する歌詞情報に基づいて上記楽曲の演奏に同期させて歌詞を表示する歌詞表示手段とを備えた音楽演奏装置において、背景音楽モードに切り換える背景音楽切換手段と、その手段によって背景音楽モードに切り換えられたとき、上記演奏手段による楽曲の演奏中は上記歌詞表示手段に上記歌詞を小文字で表示をさせる手段を設けるとよい。
【００１１】
また、上記第２の目的を達成するため、演奏情報に基づいて歌唱用の音色のメロディラインで楽曲を演奏する演奏手段を備えた音楽演奏装置において、上記演奏情報に対応する背景音楽用の楽曲のメロディラインの音色情報を記憶する背景音楽用音色情報記憶手段と、背景音楽モードに切り換える背景音楽切換手段と、その手段によって背景音楽モードに切り換えられたとき、上記演奏手段に上記背景音楽用音色情報記憶手段に記憶された音色情報に基づいて上記楽曲のメロディラインを背景音楽用の音色で演奏させる手段を設けるとよい。
【００１２】
さらに、演奏情報に基づいて歌唱用の音量で楽曲を演奏する演奏手段を備えた音楽演奏装置において、上記演奏情報に対応する背景音楽用の音量情報を記憶する背景音楽用音量情報記憶手段と、背景音楽モードに切り換える背景音楽切換手段と、その手段によって背景音楽モードに切り換えられたとき、上記演奏手段に上記背景音楽用音量情報記憶手段に記憶された音量情報に基づいて上記楽曲を背景音楽用の音量で演奏させる手段を設けるとよい。
【００１３】
さらにまた、演奏情報に基づいて歌唱用の調で楽曲を演奏する演奏手段を備えた音楽演奏装置において、上記演奏情報に対応する背景音楽用の調情報を記憶する背景音楽用調情報記憶手段と、背景音楽モードに切り換える背景音楽切換手段と、その手段によって背景音楽モードに切り換えられたとき、上記演奏手段に上記背景音楽用調情報記憶手段に記憶された調情報に基づいて上記楽曲を背景音楽用の調で演奏させる手段を設けるとよい。
【００１４】
また、上記第３の目的を達成するため、演奏情報に基づいて歌唱用の音色で楽曲を演奏する演奏手段を備えた音楽演奏装置において、上記演奏情報に対応する背景音楽用の複数種類の音色情報を記憶する背景音楽用音色情報記憶手段と、背景音楽モードに切り換える背景音楽切換手段と、その手段によって背景音楽モードに切り換えられたとき、上記背景音楽用音色情報記憶手段から音色情報の種類を選択する音色種類選択手段と、上記演奏手段に上記楽曲を上記音色種類選択手段によって選択された種類の音色情報に基づく音色で演奏させる手段を設けるとよい。      
【００１５】
さらに、演奏情報に基づいて楽曲を演奏する演奏手段を備えた音楽演奏装置において、複数種類の演奏情報を歌手別，ジャンル別等の区分毎に記憶する演奏情報記憶手段と、背景音楽モードに切り換える背景音楽切換手段と、その手段によって背景音楽モードに切り換えられたとき、上記演奏情報記憶手段に記憶されている演奏情報の区分を選択する選択手段と、上記演奏手段に上記選択手段によって選択された区分に該当する複数の演奏情報に基づく楽曲を連続して演奏させる手段を設けるとよい。
【００１６】
この発明の請求項１の音楽演奏装置は、演奏情報に基づいて楽曲を演奏し、その演奏情報に対応する歌詞情報に基づいて上記楽曲の演奏に同期させて歌詞を表示する際、背景音楽モードに切り換えられたときは、上記楽曲の演奏中は上記歌詞の表示を禁止するので、利用者は歌唱時に必要な歌詞が表示されないことによって背景音楽の演奏であることを容易に認識することができる。
【００１７】
また、この発明の請求項２の音楽演奏装置は、演奏情報に基づいて楽曲を演奏し、その演奏情報に対応する歌詞情報に基づいて上記楽曲の演奏に同期させて歌詞を表示する際、背景音楽モードに切り換えられたときは、上記楽曲の演奏中は上記歌詞の表示を禁止し、上記演奏情報に対応する楽曲の題名，歌手名，又は作詞作曲者名等の楽曲情報を表示するので、利用者は歌唱時に必要な歌詞が表示されないことによって背景音楽の演奏であることを容易に認識することができ、その背景音楽の題名，歌手名，又は作詞作曲者名等の内容を容易に知ることもできる。
【００１８】
さらに、この発明の請求項３の音楽演奏装置は、演奏情報に基づいて楽曲を演奏し、その演奏情報に対応する歌詞情報に基づいて上記楽曲の演奏に同期させて歌詞を表示する際、背景音楽モードに切り換えられたときは、上記楽曲の演奏中は上記歌詞を小文字で表示するので、利用者は歌唱時とは異なる大きさの歌詞が表示されることによって背景音楽の演奏であることを容易に認識することができ、その歌詞の内容を容易に知ることもできる。
【００１９】
また、この発明の請求項４の音楽演奏装置は、演奏情報に基づいて歌唱用の音色のメロディラインで楽曲を演奏する際、背景音楽モードに切り換えられたときは、上記演奏情報に対応させて記憶した背景音楽用の楽曲のメロディラインの音色情報に基づいて上記楽曲のメロディラインを背景音楽用の音色で演奏するので、背景音楽の音色を統一してメロディラインをはっきり聞き取れるようにすることができ、利用者に違和感無く聴かせることができる。
【００２０】
さらに、この発明の請求項５の音楽演奏装置は、演奏情報に基づいて歌唱用の音量で楽曲を演奏する際、背景音楽モードに切り換えられたときは、上記演奏情報に対応させて記憶した背景音楽用の音量情報に基づいて上記楽曲を背景音楽用の音量で演奏するので、背景音楽をオリジナル曲の音量で演奏してメロディラインをはっきり聞き取れるようにすることができ、利用者に違和感無く聴かせることができる。
【００２１】
さらにまた、この発明の請求項６の音楽演奏装置は、演奏情報に基づいて歌唱用の調で楽曲を演奏する際、背景音楽モードに切り換えられたときは、上記演奏情報に対応させて記憶した背景音楽用の調情報に基づいて上記楽曲を背景音楽用の調で演奏するので、背景音楽をオリジナル曲の調で演奏してメロディラインをはっきり聞き取れるようにすることができ、利用者に違和感無く聴かせることができる。
【００２２】
また、この発明の請求項７の音楽演奏装置は、演奏情報に基づいて歌唱用の音色で楽曲を演奏する際、背景音楽モードに切り換えられたときは、上記演奏情報に対応させて記憶した背景音楽用の複数種類の音色情報の中から選択された音色情報に基づいて上記楽曲を演奏するので、利用者によって選択されたピアノ音，ギター音等の任意の音色で背景音楽を演奏することができる。
【００２３】
さらに、この発明の請求項８の音楽演奏装置は、演奏情報に基づいて楽曲を演奏する際、背景音楽モードに切り換えられたときは、歌手別，ジャンル別等の区分毎に記憶した複数種類の演奏情報の中から選択された区分に該当する複数の演奏情報に基づく楽曲を連続して演奏するので、利用者によって選択された歌手やジャンルに属する曲を連続して背景音楽として演奏することができる。
【発明の効果】
【００２４】
この発明による音楽演奏装置は、歌唱用の楽曲を背景音楽として演奏するときには、歌詞表示を禁止したり、題名のみを表示したり、歌詞を小さい文字で表示したりすることにより、背景音楽の演奏であることが容易に認識できる。
【００２５】
また、歌唱用の楽曲を背景音楽として演奏するとき、背景音楽用の音色，音量，又は調で演奏するようにすれば、歌唱用の楽曲を背景音楽として違和感無く聞こえるようにすることができる。
さらに、歌唱用の楽曲を背景音楽として演奏するとき、任意に選択された音色で演奏したり、同一歌手の複数の楽曲を連続して演奏したりすれば、歌唱用の楽曲を背景音楽として演奏するときの機能を向上させることができる。
【発明を実施するための最良の形態】
【００２６】
以下、この発明を実施するための最良の形態を図面に基づいて具体的に説明する。
図２は、この発明の一実施形態である通信カラオケシステムの構成を示すブロック図である。この通信カラオケシステムは、ホストコンピュータ１と複数のカラオケ端末装置２とが公衆電話網（ＰＳＴＮ），デジタル通信網（ＩＳＤＮ）等の通信網３を介してデータ通信可能に接続されている。
【００２７】
そのホストコンピュータ１は、電子音楽によるカラオケ曲の演奏情報と、その演奏情報によって再生される音楽に対応する歌詞の文字情報である歌詞情報と、その演奏情報によって再生される音楽に対応する映像を指定して選択する映像選択情報等からなる多数の曲情報を蓄積し、各カラオケ端末装置２に対して各曲情報を配信する。
【００２８】
一方、各カラオケ端末装置２は、ホストコンピュータ１から配信された曲情報を蓄積し、使用者によって指定された音楽に対応する曲情報に基づいて再生した音楽と歌詞と映像を同期させて出力し、その音楽に対してマイク入力された音声をミキシングして出力する。
【００２９】
次に、上記ホストコンピュータ１について説明する。
図３はそのホストコンピュータ１の構成を示すブロック図である。
ホストコンピュータ１は、ＣＰＵ，ＲＯＭ，及びＲＡＭ等からなるマイクロコンピュータによって実現され、入力装置１１，表示装置１２，記憶装置１３，及び制御装置１４等からなる。
【００３０】
入力装置１１は、各種の操作情報を入力するキーボードやマウス等の入力手段であり、曲情報の蓄積，更新，及び配信と、各カラオケ端末装置２への配信管理等の処理時の操作情報を入力する。
【００３１】
表示装置１２は、ＬＣＤ，ＣＲＴ等のディスプレイであり、曲情報の蓄積，更新，及び配信と、各カラオケ端末装置２への配信管理等の処理時の作業画面や各種メッセージ等を表示する。
【００３２】
記憶装置１３は、ハードディスク装置，光ディスク装置等の大記憶容量のメモリであり、演奏情報とその演奏情報に対応する歌詞情報とその演奏情報に対応する映像を指定して選択する映像選択情報等からなる多数の曲情報を蓄積するデータベースである。
【００３３】
制御装置１４は、このホストコンピュータ１全体の制御を司り、記憶装置１３への曲情報の蓄積と更新処理、各カラオケ端末装置２への通信網３を介した曲情報の配信処理、その配信時の各カラオケ端末装置２との通信網３を介した呼の設定及び解除、曲情報の符号化及び変調の処理、各カラオケ端末装置２から受信したデータの復調及び復号化の処理、各カラオケ端末装置２への配信管理処理等の各種処理を実行する。
【００３４】
次に、上記各カラオケ端末装置２について説明する。
図１は各カラオケ端末装置２の構成を示すブロック図である。
カラオケ端末装置２は、マイクロコンピュータによって実現され、リモコン装置２１，マイク２２，表示装置２３，スピーカ２４，ミキシングアンプ２５，及びコマンダ２６等からなる。
【００３５】
リモコン装置２１は、使用者による音楽の選曲等の各種の操作情報を入力する操作キーを備え、選曲やカラオケ曲の再生を指定するカラオケモードや背景音楽の再生を指定するＢＧＭモードを入力し、キー入力された操作情報を赤外線等の信号によってコマンダ２６の操作表示部へ出力する入力手段である。
マイク２２は、使用者が発する声音を音声信号に変換してミキシングアンプ２５へ入力する音声入力装置である。
【００３６】
表示装置２３は、ＬＣＤ，ＣＲＴ等のディスプレイであり、コマンダ２６から出力される情報に基づいて映像，歌詞，及びその他の情報を表示する。
スピーカ２４は、ミキシングアンプ２５から出力される情報に基づいて音楽及び音声を出力する。
【００３７】
ミキシングアンプ２５は、ボリューム等の各種の操作キーを備えており、コマンダ２６から出力される音楽信号を増幅してスピーカ２４によって出力すると共に、その音楽信号にマイク２２から入力された音声信号を増幅してミキシングして出力する処理と、音楽及び音声のボリューム調節等の処理を行なう。
【００３８】
コマンダ２６は、このカラオケ端末装置２全体の制御を司ると共に、この発明に関わる各種の処理を実行する制御装置であり、ＣＰＵ１０１，ＲＯＭ１０２，ＲＡＭ１０３，操作表示部１０４，音楽処理部１０５，映像処理部１０６，表示制御部１０７，通信制御部１０８，記憶部１０９，及び楽曲再生コントロール部１１０等がバス１１１を介して接続されている。
【００３９】
ＣＰＵ１０１は、このコマンダ２６全体の制御を司り、ホストコンピュータ１からの曲情報の配信時の通信制御部１０８によるデータ通信制御と、記憶部１０９への曲情報の蓄積と読み出し、リモコン装置２１又は操作表示部１０４から入力された操作情報に基づいて記憶部１０９から読み出した曲情報により、音楽処理部１０５によるカラオケ曲や背景音楽（ＢＧＭ）の楽曲の演奏，映像処理部１０６による背景映像の再生，歌詞の色替え出力等の各種の制御処理を実行する。
【００４０】
ＲＯＭ１０２は、ＣＰＵ１０１が各種の処理を実行するためのプログラムを格納した読み出し専用のメモリである。
ＲＡＭ１０３は、ＣＰＵ１０１がＲＯＭ１０２のプログラムを実行するときに使用する作業エリアであり、各種の処理を実行するときのパラメータ等を記憶する書き込み読み出し可能なメモリである。
【００４１】
操作表示部１０４は、使用者による音楽の選曲等の各種の操作情報を入力する操作キーを備えた入力手段であり、選曲やカラオケ曲の再生を指定するカラオケモードや背景音楽の再生を指定するＢＧＭモードを入力し、リモコン装置２１から入力された操作情報を入力する制御も行なう。
【００４２】
音楽処理部１０５は、曲情報の演奏情報に基づいて複数の音色の音楽信号を生成する音源装置（例えば、ＭＩＤＩ音源ボード）を有し、その音源装置によって生成された音楽信号をミキシングアンプ２５へ出力する処理と、その音楽信号に対して各種の加工を施して音質等の各種の音響効果を付加する処理等を行なう。
【００４３】
また、カラオケ曲の再生時の複数種類の音色情報（ピアノ，ギター等の音色の音色プログラムチェンジナンバ）と、音量情報（ベロシティ）と、調情報（オリジナルキー）と共に、背景音楽用の楽曲のメロディラインの音色情報と、背景音楽用の音量情報と、背景音楽用の調情報を備えている。
【００４４】
映像処理部１０６は、曲情報中の映像選択情報に基づいて記憶部１０９から読み出した画像データに基づく背景映像を再生し、その曲情報中の歌詞情報に基づく文字情報を曲の進行に合わせて色替えしながら背景映像に重ね合わせた（スーパーインポーズ）映像信号を表示制御部１０７へ出力する処理を行なう。また、その映像信号に各種の加工を施して映像効果を付加する処理も行なう。
【００４５】
表示制御部１０７は、映像処理部１０６から出力される映像信号に基づいて表示装置２３に映像を表示する。
通信制御部１０８は、通信網３を介したホストコンピュータ１との呼の設定及び開放等のデータ通信時の制御処理と、ホストコンピュータ１から配信された曲情報の復調と復号化を行なって記憶部１０９へ出力し、通信網３を介してデータ送信するときのデータの符号化と変調の処理等も行なう。
【００４６】
記憶部１０９は、ハードディスク装置，光ディスク装置等の記憶装置であり、ホストコンピュータ１から配信された曲情報を蓄積する。また、光ディスク等のリムーバブルなメディアに記録された映像の画像データの中から曲情報の映像選択情報によって参照される各種の映像の画像データを読み出して映像処理部１０６へ出力する。
【００４７】
楽曲再生コントロール部１１０は、この発明に係る背景音楽モード選択時の各種の音声再生処理と、この発明に係る背景音楽モード選択時の各種の歌詞表示処理を司る。バス１１１は、上記各部間で各種のデータをやり取りする通信線である。
【００４８】
すなわち、上記音楽処理部１０５等が演奏情報に基づいて楽曲を演奏する演奏手段の機能を果たし、上記映像処理部１０６等が上記演奏情報に対応する歌詞情報に基づいて上記楽曲の演奏に同期させて歌詞を表示する歌詞表示手段の機能を果たし、上記リモコン装置２１及び操作表示部１０４等が背景音楽モードに切り換える背景音楽切換手段の機能を果たし、上記楽曲再生コントロール部１１０等が背景音楽モードに切り換えられたとき、上記演奏手段による楽曲の演奏中は上記歌詞表示手段に上記歌詞の表示を禁止させる歌詞表示禁止手段の機能を果たす。
【００４９】
また、上記楽曲再生コントロール部１１０等は、背景音楽モードに切り換えられたとき、上記演奏手段による楽曲の演奏中は上記歌詞表示手段に上記歌詞の表示を禁止させ、上記演奏情報に対応する楽曲の題名，歌手名，又は作詞作曲者名等の楽曲情報を表示させる手段の機能も果たす。
【００５０】
さらに、上記楽曲再生コントロール部１１０等は、背景音楽モードに切り換えられたとき、上記演奏手段による楽曲の演奏中は上記歌詞表示手段に上記歌詞を小文字で表示をさせる手段の機能も果たす。
【００５１】
また、上記音楽処理部１０５等は演奏情報に基づいて歌唱用の音色のメロディラインで楽曲を演奏する演奏手段の機能を果たし、上記記憶部１０９は上記演奏情報に対応する背景音楽用の楽曲のメロディラインの音色情報を記憶する背景音楽用音色情報記憶手段の機能を果たし、上記楽曲再生コントロール部１１０等は背景音楽モードに切り換えられたとき、上記演奏手段に上記背景音楽用音色情報記憶手段に記憶された音色情報に基づいて上記楽曲のメロディラインを背景音楽用の音色で演奏させる手段の機能も果たす。
【００５２】
さらに、上記音楽処理部１０５等は演奏情報に基づいて歌唱用の音量で楽曲を演奏する演奏手段の機能を果たし、上記記憶部１０９は上記演奏情報に対応する背景音楽用の音量情報を記憶する背景音楽用音量情報記憶手段の機能を果たし、上記楽曲再生コントロール部１１０等は背景音楽モードに切り換えられたとき、上記演奏手段に上記背景音楽用音量情報記憶手段に記憶された音量情報に基づいて上記楽曲を背景音楽用の音量で演奏させる手段の機能も果たす。
【００５３】
さらにまた、上記音楽処理部１０５等は演奏情報に基づいて歌唱用の調で楽曲を演奏する演奏手段の機能を果たし、上記記憶部１０９は上記演奏情報に対応する背景音楽用の調情報を記憶する背景音楽用調情報記憶手段の機能を果たし、上記楽曲再生コントロール部１１０等は背景音楽モードに切り換えられたとき、上記演奏手段に上記背景音楽用調情報記憶手段に記憶された調情報に基づいて上記楽曲を背景音楽用の調で演奏させる手段の機能も果たす。
【００５４】
また、上記音楽処理部１０５等は演奏情報に基づいて歌唱用の音色で楽曲を演奏する演奏手段の機能を果たし、上記記憶部１０９は上記演奏情報に対応する背景音楽用の複数種類の音色情報を記憶する背景音楽用音色情報記憶手段の機能を果たし、上記リモコン装置２１及び操作表示部１０４等は背景音楽モードに切り換えられたとき、上記背景音楽用音色情報記憶手段から音色情報の種類を選択する音色種類選択手段の機能を果たし、上記楽曲再生コントロール部１１０等は上記演奏手段に上記楽曲を上記音色種類選択手段によって選択された種類の音色情報に基づく音色で演奏させる手段の機能も果たす。
【００５５】
さらに、上記音楽処理部１０５等は演奏情報に基づいて楽曲を演奏する演奏手段の機能を果たし、上記記憶部１０９は複数種類の演奏情報を歌手別，ジャンル別等の区分毎に記憶する演奏情報記憶手段の機能を果たし、上記リモコン装置及び操作表示部１０４等は背景音楽モードに切り換えられたとき、上記演奏情報記憶手段に記憶されている演奏情報の区分を選択する選択手段の機能を果たし、上記楽曲再生コントロール部１１０等は上記演奏手段に上記選択手段によって選択された区分に該当する複数の演奏情報に基づく楽曲を連続して演奏させる手段の機能も果たす。
【００５６】
次に、この通信カラオケシステムで使用される曲情報について説明する。
その曲情報は、１音楽についての演奏情報，歌詞情報，及び映像選択情報等からなる。演奏情報は、カラオケ端末装置２が備えている音源装置に対して指定した楽器や音色の音楽を出力させるＭＩＤＩのコードデータである。歌詞情報は、この音楽の歌詞の文字や記号等のコードデータである。映像選択情報は、カラオケ端末装置２の記憶部１０９に蓄積されている映像の画像データを選択、参照するコードデータである。
【００５７】
次に、上記ＭＩＤＩデータについて簡単に説明する。
ＭＩＤＩデータは、電子楽器の制御信号及びインターフェース等の規格を定めたミュージカル・インスツルメント・デジタル・インターフェース規格（ＭＩＤＩ規格）によって規定された電子音楽再生用のデータであり、演奏する楽器の種類である音色（音色プログラムチェンジナンバー），音符のノートオンとノートオフ，音の強弱，音質，音量（ベロシティ），ステレオ感を表現するコーラス，音の左右の広がりを表現するパンポット等を指定するコマンドであるコードデータからなる。そして、音源装置がＭＩＤＩデータに基づいて各種の音色や音質等の音楽信号を生成し、アンプ及びスピーカを経て音楽として出力する。
【００５８】
次にこの通信カラオケシステムにおけるデータ通信の処理について説明する。
図４はホストコンピュータ１とカラオケ端末装置２との間で曲情報を配信するときのデータ通信処理を示すフローチャートである。
ステップ（図中「Ｓ」で示す）１でリモコン装置等での曲番号の入力による楽曲リクエストがあると、ステップ２でリクエストされた曲番号の曲情報が装置内部に蓄積されているか否かを判断する。
【００５９】
ステップ２の判断で蓄積されていなければ、ステップ３でホストコンピュータへ発呼し、ステップ４で該当する曲情報をダウンロードし、ステップ５でダウンロードした曲情報によって楽曲の再生及び演奏を実行して、リターンする。
【００６０】
ステップ２の判断でリクエストされた曲番号の曲情報が装置内部に蓄積されていれば、ステップ６で記憶部から該当する曲情報を読み込み、ステップ５で読み込んだ曲情報によって楽曲の再生及び演奏を実行して、リターンする。
【００６１】
さらに上記処理について説明する。カラオケ端末装置２のコマンダ２６は、リモコン装置２１又は操作表示部１０４によって音楽が選曲されると、記憶部１０９に選曲された音楽に該当する曲情報が記憶されているか否かを判断する。
その判断によって記憶されているときには、記憶部１０９から該当する曲情報を読み出し、その曲情報に基づく音楽と映像の再生出力の処理に移行する。
【００６２】
また、選曲された音楽に該当する曲情報が記憶されていないときには、通信制御部１０８によってホストコンピュータ１へ発呼し、ホストコンピュータ１との間で呼を設定し、選曲された音楽に該当する曲情報の配信を要求する。
【００６３】
一方、ホストコンピュータ１の制御装置１４は、そのカラオケ端末装置２との間の呼の設定後、そのカラオケ端末装置２から音楽に該当する曲情報の要求を受信したか否かを判断して、その要求を受信したら記憶装置１３に該当する曲情報が有るか否かを判断して、有ったら記憶装置１３からその該当する曲情報を読み出し、要求元のカラオケ端末装置２へ配信する。
【００６４】
そして、カラオケ端末装置２のコマンダ２６は、ホストコンピュータ１から配信された曲情報を受信したか否かを判断して、受信したらその曲情報を記憶部１０９に記憶した後、ホストコンピュータ１との呼を切断し、その曲情報に基づく音楽と映像の再生出力の処理に移行する。
【００６５】
次に、このカラオケ端末装置２における通常のカラオケ曲再生時の音楽及び映像の出力処理について説明する。
コマンダ２６のＣＰＵ１０１は、リモコン装置２１又は操作表示部１０４によって音楽が選曲されると、記憶部１０９からその選曲された音楽に該当する曲情報を読み出し、その曲情報から演奏情報と歌詞情報と映像選択情報をそれぞれ抽出し、音楽処理部１０５へ演奏情報を、映像処理部１０６へ歌詞情報をそれぞれ出力タイミングを取って送る。また、これらの情報と同期して記憶部１０９から映像処理部１０６へ画像データを読み出す。
【００６６】
音楽処理部１０５は、音源装置によって演奏情報に基づく音楽信号を生成し、それをミキシングアンプ２５へ送る。
また、映像処理部１０６は、記憶部１０９から映像選択情報によって指定された画像データを読み出し、その画像データに歌詞情報に基づいて生成した文字情報を重ね合わせた映像信号を生成し、それを表示制御部１０７へ送る。
【００６７】
そして、ミキシングアンプ２５が音楽処理部１０５によって生成された音楽信号を増幅し、マイク２２から入力された音声信号と合わせてスピーカ２４へ出力し、音楽及び音声を再生出力する。
一方、表示制御部１０７が映像処理部１０６によって生成された映像信号を表示装置２３へ出力し、映像及び歌詞を再生出力する。
このようにして、スピーカ２４から出力される音楽に合わせて表示装置２３にその音楽に対応する歌詞と映像とが表示される。
【００６８】
次に、上記カラオケ端末装置２におけるカラオケ曲を背景音楽（ＢＧＭ）として再生するときの処理について説明する。
まず、カラオケ曲をそのままＢＧＭとして再生すると、表示装置２３に背景画像と共に歌詞が色替え表示されて、ＢＧＭであるのに誰かが歌う曲であるように間違えられてしまうし、画面上の歌詞表示が鬱陶しく感じられる。
【００６９】
そこで、このカラオケ端末装置２は、リモコン装置２１又は操作表示部１０４によって背景音楽モード（ＢＧＭモード）に切り換えられたとき、楽曲再生コントロール部１１０がカラオケの楽曲の演奏中は歌詞の表示を禁止する。
【００７０】
図５はその処理を示すフローチャートである。
この処理は、ステップ（図中「Ｓ」で示す）１１でカラオケモードとＢＧＭモードのいずれが入力されたかを判断して、ＢＧＭモードの入力ならステップ１２で選曲されたＭＩＤＩデータによる楽曲の再生を実行し、ステップ１３で背景映像を表示し、ステップ１４で歌詞表示処理を禁止して、この処理を終了する。
【００７１】
一方、ステップ１１の判断でカラオケモードの入力なら、ステップ１５で選曲されたＭＩＤＩデータによる通常の楽曲の再生を実施し、背景映像と共に歌詞の色替え表示を行なって、この処理を終了する。
【００７２】
したがって、利用者は歌唱時に必要な歌詞が表示されないことによってＢＧＭの演奏であることを容易に認識することができ、画面上には背景映像のみが表示されてＢＧＭを楽しむことができる。
【００７３】
次に、ＢＧＭモードで流れている楽曲の曲名や歌手名を知りたいことが有る。
そこで、このカラオケ端末装置２において、リモコン装置２１又は操作表示部１０４によってＢＧＭモードに切り換えられたとき、楽曲再生コントロール部１１０によってカラオケの楽曲の演奏中は歌詞の表示を禁止し、演奏中の楽曲に対応する楽曲の題名，歌手名，又は作詞作曲者名等の楽曲情報を表示するようにする。
【００７４】
図６はその処理を示すフローチャートである。
この処理は、ステップ（図中「Ｓ」で示す）２１でＢＧＭモードか否かを判断して、ＢＧＭモードならステップ２２で選択された楽曲のタイトル（題名），歌手名，作詞作曲者名等の楽曲情報を表示装置の画面上部に表示し、ステップ２３で楽曲の再生を実施して、リターンする。
【００７５】
したがって、利用者は歌唱時に必要な歌詞が表示されないことによってＢＧＭの演奏であることを容易に認識することができ、そのＢＧＭの題名，歌手名，又は作詞作曲者名等の内容を容易に知ることもできる。
なお、上述の処理では題名等を画面上部に表示したが、利用者によって指定された位置に表示するようにすれば、楽曲情報の表示に関する操作性を向上させることができる。
【００７６】
次に、上記のＢＧＭモードで流れている楽曲の歌詞を知りたいことも有る。
そこで、このカラオケ端末装置２において、リモコン装置２１又は操作表示部１０４によってＢＧＭモードに切り換えられたとき、楽曲の演奏中は歌詞を小文字で表示するとよい。
【００７７】
図７はその処理を示すフローチャートである。
この処理は、ステップ（図中「Ｓ」で示す）３１でＢＧＭモードか否かを判断して、ＢＧＭモードならステップ３２で選択された楽曲の歌詞のフォントの大きさを小さくして表示装置の画面に表示し、ステップ３３で楽曲の再生を実施して、リターンする。
【００７８】
したがって、利用者は歌唱時とは異なる大きさの文字で歌詞が表示されることによってＢＧＭの演奏であることを容易に認識することができ、その歌詞の内容も容易に知ることもできる。
なお、上述の処理ではＢＧＭモードのときには歌詞の大きさを小さくして表示するようにしたが、通常のカラオケ再生時とは異なる書体で表示したり、振り仮名を取って表示したり、画面上の目立たない位置に表示するようにしてもよい。
【００７９】
次に、カラオケ曲は歌唱者が歌うのに邪魔にならないように、且つ聞き取り易いようにメロディラインの音色が様々に構成されており、そのままＢＧＭとして再生すると、一番肝心なメロディラインがはっきしなかったり、途中で音色が変わったりして違和感を与えてしまう。
【００８０】
そこで、このカラオケ端末装置２は、リモコン装置２１又は操作表示部１０４によって背景音楽モード（ＢＧＭモード）に切り換えられたとき、楽曲再生コントロール部１１０によって選曲されたカラオケ曲の演奏情報に対応させて記憶した背景音楽用の楽曲のメロディラインの音色情報に基づいてメロディラインを背景音楽用の音色で演奏するようにする。
【００８１】
図８はその処理を示すフローチャートである。
この処理は、ステップ（図中「Ｓ」で示す）４１でＢＧＭモードか否かを判断して、ＢＧＭモードならステップ４２で選択された楽曲のＢＧＭ用の音色プログラムチェンジナンバを読み込み、ステップ４３でその音色プログラムチェンジナンバをセットし、ステップ４４で楽曲の再生を実施して、リターンする。
【００８２】
上記音色プログラムナンバは、ＢＧＭ用として指定されたピアノ等の音色を音源装置に対して指定するデータであり、ＭＩＤＩデータ中に埋め込むことにより、音源装置によって任意の音色で楽曲を再生することができる。
【００８３】
したがって、ＢＧＭモードでは音色を統一してメロディラインをはっきり聞き取れるように演奏されるので、利用者はＢＧＭをオリジナル曲のメロディラインと違和感無く聴くことができる。
【００８４】
次に、カラオケ曲は歌唱者が歌うのに邪魔にならないように、且つ聞き取り易いように演奏時の音量が設定されており、そのままＢＧＭとして再生すると、一番肝心なメロディラインがはっきしなかったり、抑揚がなかったりして違和感を与えてしまう。
【００８５】
そこで、このカラオケ端末装置２は、リモコン装置２１又は操作表示部１０４によって背景音楽モード（ＢＧＭモード）に切り換えられたとき、楽曲再生コントロール部１１０によって選曲されたカラオケ曲の演奏情報に対応させて記憶した背景音楽用の音量情報に基づいて背景音楽用の音量で演奏するようにする。
【００８６】
図９はその処理を示すフローチャートである。
この処理は、ステップ（図中「Ｓ」で示す）５１でＢＧＭモードか否かを判断して、ＢＧＭモードならステップ５２で選択された楽曲のＢＧＭ用の音量（ベロシティ）を読み込み、ステップ５３でその音量情報に変更し、ステップ５４で楽曲の再生を実施して、リターンする。
【００８７】
上記ベロシティは、ＢＧＭ用として予め指定された音量を音源装置に対して指定するデータであり、ＭＩＤＩデータ中に埋め込むことにより、音源装置によって楽曲の音量を変更して再生することができる。
【００８８】
したがって、ＢＧＭモードではオリジナル曲の音量で演奏してメロディラインをはっきり聞き取れるように演奏されるので、利用者は違和感無く聴くことができる。
【００８９】
次に、カラオケ曲は歌唱者が歌うのに邪魔にならないように、且つ歌い易いように演奏時のキー（調）が設定されており、そのままＢＧＭとして再生すると、どの楽曲も同じようなメロディに聞こえてしまうし、オリジナルのキーでないためにオリジナリティがなくなる。また、絶対音感を持った利用者にとってはとても聞き取り難くなってしまう。
【００９０】
そこで、このカラオケ端末装置２は、リモコン装置２１又は操作表示部１０４によって背景音楽モード（ＢＧＭモード）に切り換えられたとき、楽曲再生コントロール部１１０によって選曲されたカラオケ曲の演奏情報に対応させて記憶した背景音楽用の調情報に基づいて背景音楽用の調で演奏するようにする。
【００９１】
図１０はその処理を示すフローチャートである。
この処理は、ステップ（図中「Ｓ」で示す）６１でＢＧＭモードか否かを判断して、ＢＧＭモードならステップ６２で選択された楽曲のＢＧＭ用のキーを読み込み、ステップ６３でそのキーに変更し、ステップ６４で楽曲の再生を実施して、リターンする。
【００９２】
上記キーは、ＢＧＭ用として予め指定されたキーを音源装置に対して指定するデータであり、ＭＩＤＩデータ中に埋め込むことにより、音源装置によって楽曲のキーを変更して再生することができる。
【００９３】
したがって、ＢＧＭモードではＢＧＭ用のキーで演奏してメロディラインをはっきり聞き取れるように演奏されるので、利用者は違和感無く聴くことができる。
なお、上記ＢＧＭ用のキーを楽曲のオリジナルキーに設定すれば、原曲とほぼ同じように演奏することができる。
【００９４】
次に、カラオケ曲のメロディラインの音色は元の楽曲の作りで決められているので、利用者が好みの音色で聴きたくてもできなかった。例えば、元がピアノ曲の場合、ギターバージョンでは聴くことができなかった。
【００９５】
そこで、このカラオケ端末装置２は、リモコン装置２１又は操作表示部１０４によって背景音楽モード（ＢＧＭモード）に切り換えられたとき、楽曲再生コントロール部１１０によって選曲されたカラオケ曲の演奏情報に対応させて記憶した背景音楽用の複数種類の音色情報の中から選択された音色情報に基づいて演奏するようにする。
【００９６】
図１１はその処理を示すフローチャートである。
この処理は、ステップ（図中「Ｓ」で示す）７１でＢＧＭモードか否かを判断して、ＢＧＭモードならステップ７２でリモコン装置又は操作表示部によって音色変更の指示が有ったか否かを判断して、音色変更の指示が有ればステップ７３で選択された音色情報（音色プログラムチェンジナンバ）を読み込み、ステップ７４でその音色プログラムチェンジナンバをセットし、ステップ７５で楽曲の再生を実施して、リターンする。
【００９７】
ステップ７２の判断で音色変更の指示がなければ、ステップ７６で予めセットされているＢＧＭ用の音色プログラムチェンジナンバを読み出し、ステップ７４でその音色プログラムチェンジナンバをセットし、ステップ７５で楽曲の再生を実施して、リターンする。
【００９８】
したがって、利用者はＢＧＭ再生のとき、カラオケ曲をピアノ音，ギター音等の好みの音色のＢＧＭで聴くことができる。
【００９９】
次に、ＢＧＭの演奏時には、例えば、同じ歌手の曲を続けて聴きたい場合がある。しかし、１曲ずつ再生を指示するのでは操作が煩雑になる。
そこで、このカラオケ端末装置２は、リモコン装置２１又は操作表示部１０４によってＢＧＭモードに切り換えられたとき、楽曲再生コントロール部１１０によって歌手別，ジャンル別等の区分毎に記憶した複数種類の演奏情報の中から選択された区分に該当する複数の演奏情報に基づく楽曲を連続して演奏するようにする。
【０１００】
図１２はその処理を示すフローチャートである。
この処理は、ステップ（図中「Ｓ」で示す）８１でＢＧＭモードか否かを判断して、ＢＧＭモードならステップ８２でリモコン装置又は操作表示部によって歌手別，ジャンル別等の区分を列記した楽曲リストが選択されたか否かを判断して、選択されたらステップ８３で表示装置に楽曲リストを表示し、ステップ８４で楽曲リスト中の歌手別表示が選択されたか否かを判断する。
【０１０１】
ステップ８４の判断で歌手別表示が選択されたら、ステップ８５で歌手別表示中の歌手が選択されたか否かを判断して、歌手が選択されたらステップ８６で選択された歌手の全楽曲の曲情報に基づいて各楽曲を連続して再生して、リターンする。
【０１０２】
したがって、利用者は好みの歌手やジャンルの曲を連続してＢＧＭで聴くことができ、ＢＧＭ再生時の操作性が向上する。
【０１０３】
次に、表１に示すように、上記ＢＧＭ用の音色，音量，キーのパラメータを曲管理テーブルで曲毎に管理し、ＢＧＭモードのときには、曲管理テーブルから必要なパラメータを読み込んでカラオケ曲を再生するようにしても良い。
【０１０４】
【表１】
2005189878.tif 000003
【０１０５】
このカラオケ端末装置２は、カラオケ再生を行なうときには通常の楽曲再生と映像表示，歌詞表示，歌詞色替えを行なう。
なお、上述の処理では説明を省略したが、再生音楽とマイク入力の音声に対してはエコー等の音声エフェクト処理をかけることもできる。
そして、カラオケ曲によるＢＧＭを、カラオケ再生時よりも原曲に近いキーと、聴きやすいメロディラインの音色と、曲のバランスを取った音量で聴くことができる。
【０１０６】
また、ＢＧＭの音色も利用者がその場の雰囲気にマッチした音色を選択することができる。例えば、同じ曲でも夜にはジャズピアノやサックスフォンの音色に変更することができる。
さらに、ＢＧＭの再生中は、画面に曲名，歌手名等の楽曲情報を常時表示することにより、演奏中の曲名等を直ぐに知ることができる。
【０１０７】
また、ＢＧＭで演奏中はカラオケ再生時とは異なる大きさの文字で表示することにより、演奏中の歌詞を知ることもでき、背景映像の邪魔になることも防ぐことができる。
さらに、曲選択の際に楽曲リストを表示し、その楽曲リストに基づいて好みの歌手を選択すれば、その歌手について登録されている全楽曲のＢＧＭを連続して聴くことができ、あたかもＣＤの再生のように利用することができる。
【図面の簡単な説明】
【０１０８】
【図１】図２に示したカラオケ端末装置の構成を示すブロック図である。
【図２】この発明の一実施形態である通信カラオケシステムの構成を示すブロック図である。
【図３】図２に示したホストコンピュータの構成を示すブロック図である。
【図４】図２に示したホストコンピュータとカラオケ端末装置との間で曲情報を配信するときのデータ通信処理を示すフローチャートである。
【０１０９】
【図５】図１に示したカラオケ端末装置におけるカラオケ曲をＢＧＭとして再生するときの処理を示すフローチャートである。
【図６】図１に示したカラオケ端末装置の通常のカラオケ曲の音楽及び映像等の再生処理を示すフローチャートである。
【図７】図１に示したカラオケ端末装置におけるカラオケ曲をＢＧＭとして再生するときの他の処理を示すフローチャートである。
【図８】同じくカラオケ曲をＢＧＭとして再生するときのまた他の処理を示すフローチャートである。
【０１１０】
【図９】同じくカラオケ曲をＢＧＭとして再生するときのさらに他の処理を示すフローチャートである。
【図１０】同じくカラオケ曲をＢＧＭとして再生するときのまた他の処理を示すフローチャートである。
【図１１】同じくカラオケ曲をＢＧＭとして再生するときのさらに他の処理を示すフローチャートである。
【図１２】同じくカラオケ曲をＢＧＭとして再生するときのさらにまた他の処理を示すフローチャートである。
【符号の説明】
【０１１１】
１：ホストコンピュータ    ２：カラオケ端末装置    ３：通信網    １１：入力装置    １２：表示装置    １３：記憶装置    １４：制御装置    ２１：リモコン装置    ２２：マイク    ２３：表示装置    ２４：スピーカ    ２５：ミキシングアンプ    ２６：コマンダ    １０１：ＣＰＵ    １０２：ＲＯＭ    １０３：ＲＡＭ    １０４：操作表示部    １０５：音楽処理部    １０６：映像処理部    １０７：表示制御部    １０８：通信制御部    １０９：記憶部    １１０：楽曲再生コントロール部    １１１：バス
【図１】
2005189878.tif 000004
【図２】
2005189878.tif 000005
【図３】
2005189878.tif 000006
【図４】
2005189878.tif 000007
【図５】
2005189878.tif 000008
【図６】
2005189878.tif 000009
【図７】
2005189878.tif 000010
【図８】
2005189878.tif 000011
【図９】
2005189878.tif 000012
【図１０】
2005189878.tif 000013
【図１１】
2005189878.tif 000014
【図１２】
2005189878.tif 000015
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
入力手段から入力された演奏情報に基づいて楽曲を演奏する演奏手段と、前記演奏情報に対応する歌詞情報に基づいて前記楽曲の演奏に同期させて歌詞を表示する歌詞表示手段とを備えた音楽演奏装置において、
選曲とカラオケ曲の再生を指定するカラオケモードから背景音楽の再生を指定する背景音楽モードに切り換える背景音楽切換手段と、該背景音楽切換手段によってカラオケモードから背景音楽モードに切り換えられたとき、前記歌詞表示手段によって表示する歌詞の書体と画面上の表示位置とを前記カラオケモードのときとは異ならせる手段とを設けたことを特徴とする音楽演奏装置。
【請求項２】
入力手段から入力された演奏情報に基づいて楽曲を演奏する演奏手段を備えた音楽演奏装置において、
複数種類の演奏情報を歌手別，ジャンル別の区分毎に記憶する演奏情報記憶手段と、選曲とカラオケ曲の再生を指定するカラオケモードから背景音楽の再生を指定する背景音楽モードに切り換える背景音楽切換手段と、該背景音楽切換手段によってカラオケモードから背景音楽モードに切り換えられたとき、前記演奏情報記憶手段に記憶されている演奏情報の区分を選択する選択手段と、前記演奏手段に前記選択手段によって選択された区分に該当する複数の演奏情報に基づく楽曲を連続して演奏させる手段とを設けたことを特徴とする音楽演奏装置。
【請求項３】
入力工程によって入力された演奏情報に基づいて楽曲を演奏する演奏工程と、前記演奏情報に対応する歌詞情報に基づいて前記楽曲の演奏に同期させて歌詞を表示する歌詞表示工程と、選曲とカラオケ曲の再生を指定するカラオケモードから背景音楽の再生を指定する背景音楽モードに切り換える背景音楽切換工程と、該背景音楽切換工程によってカラオケモードから背景音楽モードに切り換えられたとき、前記歌詞表示工程によって表示する歌詞の書体と画面上の表示位置とを前記カラオケモードのときとは異ならせる工程とからなることを特徴とする音楽演奏方法。
【請求項４】
入力工程によって入力された演奏情報に基づいて楽曲を演奏する演奏工程と、複数種類の演奏情報を歌手別，ジャンル別の区分毎に記憶する演奏情報記憶工程と、選曲とカラオケ曲の再生を指定するカラオケモードから背景音楽の再生を指定する背景音楽モードに切り換える背景音楽切換工程と、該背景音楽切換工程によってカラオケモードから背景音楽モードに切り換えられたとき、前記演奏情報記憶工程に記憶されている演奏情報の区分を選択する選択工程と、前記演奏工程によって前記選択工程で選択された区分に該当する複数の演奏情報に基づく楽曲を連続して演奏させる工程とからなることを特徴とする音楽演奏方法。
【請求項５】
コンピュータに、入力手順から入力された演奏情報に基づいて楽曲を演奏する演奏手順と、前記演奏情報に対応する歌詞情報に基づいて前記楽曲の演奏に同期させて歌詞を表示する歌詞表示手順と、選曲とカラオケ曲の再生を指定するカラオケモードから背景音楽の再生を指定する背景音楽モードに切り換える背景音楽切換手順と、該背景音楽切換手順によってカラオケモードから背景音楽モードに切り換えられたとき、前記歌詞表示手順によって表示する歌詞の書体と画面上の表示位置とを前記カラオケモードのときとは異ならせる手順とを実行させるためのプログラム。
【請求項６】
コンピュータに、入力手順から入力された演奏情報に基づいて楽曲を演奏する演奏手順と、複数種類の演奏情報を歌手別，ジャンル別の区分毎に記憶する演奏情報記憶手順と、選曲とカラオケ曲の再生を指定するカラオケモードから背景音楽の再生を指定する背景音楽モードに切り換える背景音楽切換手順と、該背景音楽切換手順によってカラオケモードから背景音楽モードに切り換えられたとき、前記演奏情報記憶手順に記憶されている演奏情報の区分を選択する選択手順と、前記演奏手順に前記選択手順によって選択された区分に該当する複数の演奏情報に基づく楽曲を連続して演奏させる手順とを実行させるためのプログラム。
【手続補正３】
【補正対象書類名】明細書
【補正対象項目名】０００１
【補正方法】変更
【補正の内容】
【０００１】
この発明は、歌唱用の伴奏音楽を演奏するマイクロコンピュータやカラオケ装置等の音楽演奏装置と音楽演奏方法とプログラムに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
さらに、カラオケ曲をそのままＢＧＭとして演奏するだけでは、利用者の多様なニーズに対応できないという問題があった。
そこで、歌唱用の楽曲を背景音楽として演奏するときの機能を向上させることを第２の目的とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
この発明は上記の第１の目的を達成するため、入力手段から入力された演奏情報に基づいて楽曲を演奏する演奏手段と、上記演奏情報に対応する歌詞情報に基づいて上記楽曲の演奏に同期させて歌詞を表示する歌詞表示手段とを備えた音楽演奏装置において、選曲とカラオケ曲の再生を指定するカラオケモードから背景音楽の再生を指定する背景音楽モードに切り換える背景音楽切換手段と、その背景音楽切換手段によってカラオケモードから背景音楽モードに切り換えられたとき、上記演奏手段による楽曲の演奏中は上記歌詞表示手段によって表示する歌詞の書体と画面上の表示位置とを前記カラオケモードのときとは異ならせる手段を設けるとよい。
また、入力工程によって入力された演奏情報に基づいて楽曲を演奏する演奏工程と、上記演奏情報に対応する歌詞情報に基づいて上記楽曲の演奏に同期させて歌詞を表示する歌詞表示工程と、選曲とカラオケ曲の再生を指定するカラオケモードから背景音楽の再生を指定する背景音楽モードに切り換える背景音楽切換工程と、その背景音楽切換工程によってカラオケモードから背景音楽モードに切り換えられたとき、上記歌詞表示工程によって表示する歌詞の書体と画面上の表示位置とを上記カラオケモードのときとは異ならせる工程とからなる音楽演奏方法も提供する。
さらに、コンピュータに、入力手順から入力された演奏情報に基づいて楽曲を演奏する演奏手順と、上記演奏情報に対応する歌詞情報に基づいて上記楽曲の演奏に同期させて歌詞を表示する歌詞表示手順と、選曲とカラオケ曲の再生を指定するカラオケモードから背景音楽の再生を指定する背景音楽モードに切り換える背景音楽切換手順と、その背景音楽切換手順によってカラオケモードから背景音楽モードに切り換えられたとき、上記歌詞表示手順によって表示する歌詞の書体と画面上の表示位置とを上記カラオケモードのときとは異ならせる手順とを実行させるためのプログラムも提供する。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
上記第２の目的を達成するため、入力手段から入力された演奏情報に基づいて楽曲を演奏する演奏手段を備えた音楽演奏装置において、複数種類の演奏情報を歌手別，ジャンル別の区分毎に記憶する演奏情報記憶手段と、選曲とカラオケ曲の再生を指定するカラオケモードから背景音楽の再生を指定する背景音楽モードに切り換える背景音楽切換手段と、その背景音楽切換手段によってカラオケモードから背景音楽モードに切り換えられたとき、上記演奏情報記憶手段に記憶されている演奏情報の区分を選択する選択手段と、上記演奏手段に上記選択手段によって選択された区分に該当する複数の演奏情報に基づく楽曲を連続して演奏させる手段を設けるとよい。
また、入力工程によって入力された演奏情報に基づいて楽曲を演奏する演奏工程と、複数種類の演奏情報を歌手別，ジャンル別の区分毎に記憶する演奏情報記憶工程と、選曲とカラオケ曲の再生を指定するカラオケモードから背景音楽の再生を指定する背景音楽モードに切り換える背景音楽切換工程と、その背景音楽切換工程によってカラオケモードから背景音楽モードに切り換えられたとき、上記演奏情報記憶工程に記憶されている演奏情報の区分を選択する選択工程と、上記演奏工程によって上記選択工程で選択された区分に該当する複数の演奏情報に基づく楽曲を連続して演奏させる工程とからなる音楽演奏方法も提供する。
さらに、コンピュータに、入力手順から入力された演奏情報に基づいて楽曲を演奏する演奏手順と、複数種類の演奏情報を歌手別，ジャンル別の区分毎に記憶する演奏情報記憶手順と、選曲とカラオケ曲の再生を指定するカラオケモードから背景音楽の再生を指定する背景音楽モードに切り換える背景音楽切換手順と、その背景音楽切換手順によってカラオケモードから背景音楽モードに切り換えられたとき、上記演奏情報記憶手順に記憶されている演奏情報の区分を選択する選択手順と、上記演奏手順に上記選択手順によって選択された区分に該当する複数の演奏情報に基づく楽曲を連続して演奏させる手順とを実行させるためのプログラムも提供する。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
この発明の音楽演奏装置と音楽演奏方法とプログラムは、利用者によって入力された演奏情報に基づいて楽曲を演奏し、その演奏情報に対応する歌詞情報に基づいて上記楽曲の演奏に同期させて歌詞を表示する際、カラオケモードから背景音楽モードに切り換えられたときは、上記歌詞をカラオケモードのときの書体と画面上の表示位置とは異ならせて表示するので、利用者はカラオケモードのときとは異なる書体と画面上の表示位置に歌詞が表示されることによって背景音楽の演奏であることを容易に認識することができ、その歌詞の内容を容易に知ることもできる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
また、この発明の音楽演奏装置と音楽演奏方法とプログラムは、利用者によって入力された演奏情報に基づいて楽曲を演奏する際、カラオケモードから背景音楽モードに切り換えられたときは、歌手別，ジャンル別等の区分毎に記憶した複数種類の演奏情報の中から選択された区分に該当する複数の演奏情報に基づく楽曲を連続して演奏するので、利用者によって選択された歌手やジャンルに属する曲を連続して背景音楽として演奏することができる。
【手続補正２２】
【補正対象書類名】明細書
【補正対象項目名】００２４
【補正方法】変更
【補正の内容】
【００２４】
この発明による音楽演奏装置と音楽演奏方法とプログラムは、歌唱用の楽曲を背景音楽として演奏する背景音楽モードのときには、カラオケモードのときとは異なる書体と画面上の表示位置に歌詞を表示することにより、背景音楽の演奏であることが容易に認識できる。
【手続補正２３】
【補正対象書類名】明細書
【補正対象項目名】００２５
【補正方法】変更
【補正の内容】
【００２５】
また、歌唱用の楽曲を背景音楽として演奏する背景音楽モードのとき、同一歌手の複数の楽曲を連続して演奏したりすれば、歌唱用の楽曲を背景音楽として演奏するときの機能を向上させることができる。
【手続補正２４】
【補正対象書類名】明細書
【補正対象項目名】００４８
【補正方法】変更
【補正の内容】
【００４８】
すなわち、上記音楽処理部１０５等が入力手段から入力された演奏情報に基づいて楽曲を演奏する演奏手段の機能を果たし、上記映像処理部１０６等が上記演奏情報に対応する歌詞情報に基づいて上記楽曲の演奏に同期させて歌詞を表示する歌詞表示手段の機能を果たし、上記リモコン装置２１及び操作表示部１０４等が選曲とカラオケ曲の再生を指定するカラオケモードから背景音楽の再生を指定する背景音楽モードに切り換える背景音楽切換手段の機能を果たす。
【手続補正２５】
【補正対象書類名】明細書
【補正対象項目名】００４９
【補正方法】削除
【補正の内容】
【手続補正２６】
【補正対象書類名】明細書
【補正対象項目名】００５０
【補正方法】変更
【補正の内容】
【００５０】
さらに、上記楽曲再生コントロール部１１０等は、上記背景音楽切換手段によってカラオケモードから背景音楽モードに切り換えられたとき、上記歌詞表示手段によって表示する歌詞の書体と画面上の表示位置とをカラオケモードのときとは異ならせる手段の機能も果たす。
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５３
【補正方法】削除
【補正の内容】
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】変更
【補正の内容】
【００５５】
さらに、上記音楽処理部１０５等は入力手段から入力された演奏情報に基づいて楽曲を演奏する演奏手段の機能を果たし、上記記憶部１０９は複数種類の演奏情報を歌手別，ジャンル別の区分毎に記憶する演奏情報記憶手段の機能を果たし、上記リモコン装置及び操作表示部１０４等は上記背景音楽切換手段によってカラオケモードから背景音楽モードに切り換えられたとき、上記演奏情報記憶手段に記憶されている演奏情報の区分を選択する選択手段の機能を果たし、上記楽曲再生コントロール部１１０等は上記演奏手段に上記選択手段によって選択された区分に該当する複数の演奏情報に基づく楽曲を連続して演奏させる手段の機能も果たす。